(57)【要約】【課題】ペン先の視認部で筆記方向を視認することができる筆記具におけるペン芯と保持体との密着性を向上せしめて、接着面からのインク誘導管への空気の入り込みを防止して、インクが十分に供給されて筆記カスレ、インク切れもない筆記具を提供する。【解決手段】ペン先が、筆記部となる多孔体４５と、該多孔体４５を保持し、筆記部にインクを供給するためのインク誘導部５０を少なくとも１つ有する保持体５５とを備え、筆記具本体１０に含まれるインクを、上記保持体５５に設けたインク誘導部５０に供給するための中継多孔体３０を有し、かつ、上記保持体５５が、筆記方向を視認できる視認部となる筆記具Ａであって、保持体５５と多孔体４５との接着面において、保持体５５に突起部を形成したことを特徴とする筆記具。【選択図】図１
2014079993.tif 000002
【特許請求の範囲】
【請求項１】
ペン先が、筆記部となる多孔体と、該多孔体を保持し、筆記部にインクを供給するためのインク誘導部を少なくとも１つ有する保持体とを備え、筆記具本体に含まれるインクを、上記保持体に設けたインク誘導部に供給するための中継多孔体を有し、かつ、上記保持体が、筆記方向を視認できる視認部となる筆記具であって、保持体と多孔体との接着面において、保持体に突起部を形成したことを特徴とする筆記具。
【請求項２】
前記突起部は、保持体のインク誘導部の同心円状に形成したことを特徴とする請求項１記載の筆記具。
【発明の詳細な説明】
【技術分野】
【０００１】
本発明は、インク残量の視認性に優れたマーキングペンなどに好適な筆記具に関する。
【背景技術】
【０００２】
従来より、ペン先の視認部で筆記方向を視認することができる筆記具としては、各構造の筆記具が知られている。
例えば、視認性を有する保持体にインク誘導管を形成し、そのインク誘導管にインクを連通させ多孔体であるペン芯にインクを供給する筆記具（例えば、本出願人による特許文献１参照）が知られている。
【０００３】
しかしながら、ペン先の視認部で筆記方向を視認することができる筆記具の量産上、ペン芯の保持体との接着面に凹凸ができてしまうことが有り、そのペン芯で保持体と接着すると、保持体と多孔体であるペン芯との接着面に隙間ができるので、保持体とペン芯との密着性（シール性）が低下して、その接着面の隙間からインク誘導管に空気が入り込み、インクが十分に供給されず筆記カスレが発生することがあるなどの課題がある。
【先行技術文献】
【特許文献】
【０００４】
【特許文献１】ＷＯ２０１１／１５８８３７号公報（特許請求の範囲、図面等）
【発明の概要】
【発明が解決しようとする課題】
【０００５】
本発明は、上記従来技術の課題に鑑み、これを解消しようとするものであり、ペン先の視認部で筆記方向を視認することができる筆記具におけるペン芯と保持体との密着性を向上せしめて、接着面からのインク誘導管への空気の入り込みを防止して、インクが十分に供給されて筆記カスレ、インク切れもない筆記具を提供することを目的とする。
【課題を解決するための手段】
【０００６】
本発明者は、上記従来の課題等を解決するために、鋭意検討した結果、ペン芯を取り付ける保持体を特定構造などとすることにより、上記目的の筆記具が得られることを見出し、本発明を完成するに至ったのである。
【０００７】
すなわち、本発明は、次の（１）及び（２）に存する。
（１）  ペン先が、筆記部となる多孔体と、該多孔体を保持し、筆記部にインクを供給するためのインク誘導部を少なくとも１つ有する保持体とを備え、筆記具本体に含まれるインクを、上記保持体に設けたインク誘導部に供給するための中継多孔体を有し、かつ、上記保持体が、筆記方向を視認できる視認部となる筆記具であって、保持体と多孔体との接着面において、保持体に突起部を形成したことを特徴とする筆記具。
（２）  前記突起部は、保持体のインク誘導部の同心円状に形成したことを特徴とする上記（１）記載の筆記具。
【発明の効果】
【０００８】
本発明によれば、ペン先の視認部で筆記方向を視認することができる筆記具におけるペン芯と保持体との接着面の密着性を向上せしめて、該接着面からのインク誘導管への空気の入り込みを防止して、インクが十分に供給されて筆記カスレ、インク切れもない筆記具が提供される。
【図面の簡単な説明】
【０００９】
【図１】本発明の実施形態の一例を示す筆記具の図面であり、（ａ）はその縦断面図、（ｂ）は（ａ）のＸ−Ｘ線断面図である。
【図２】図１の拡大部分縦断面図である。
【図３】図１の筆記部となる多孔体を取り付ける保持体の一例を示す図面であり、（ａ）は平面図、（ｂ）平面視の縦断面図、（ｃ）は保持体を前方側から見た斜視図である。
【図４】（ａ）は保持体の正面視の縦断面図、（ｂ）は保持体の左側面図、（ｃ）は保持体の接着面の拡大部分縦断面図である。
【図５】（ａ）〜（ｇ）は、保持体に形成する突起部の各断面形状を示す図面である。
【図６】保持体に筆記部となる多孔体と中継多孔体を取り付けた状態を示すものであり、（ａ）は正面図、（ｂ）は斜視図である。
【図７】キャップ体を取り外した状態の筆記具の一例を示すものであり、（ａ）は前方側から見た斜視図、（ｂ）は後方側から見た斜視図である。
【図８】図１の筆記部となる多孔体を取り付ける保持体の他例を示す図面であり、（ａ）は平面視の縦断面図、（ｂ）は保持体を前方側から見た斜視図である。
【図９】（ａ）は図８の保持体の正面視の縦断面図、（ｂ）はその保持体の左側面図、（ｃ）はその保持体の接着面の拡大部分縦断面図である。
【図１０】図１の筆記部となる多孔体を取り付ける保持体の他例を示す図面であり、（ａ）は平面視の縦断面図、（ｂ）は保持体を前方側から見た斜視図である。
【図１１】（ａ）は図１０の保持体の正面視の縦断面図、（ｂ）はその保持体の左側面図、（ｃ）はその保持体の接着面の拡大部分縦断面図である。
【図１２】図１の筆記部となる多孔体を取り付ける保持体の他例を示す図面であり、（ａ）は平面視の縦断面図、（ｂ）は保持体を前方側から見た斜視図である。
【図１３】（ａ）は図１２の保持体の正面視の縦断面図、（ｂ）はその保持体の左側面図、（ｃ）はその保持体の接着面の拡大部分縦断面図である。
【発明を実施するための形態】
【００１０】
以下に、本発明の実施形態を図面を参照して詳しく説明する。
図１〜図７は、本発明の実施形態の一例を示す筆記具の各図面である。
本実施形態の筆記具Ａは、マーキングペンタイプの筆記具であり、図１及び図２に示すように、筆記具本体（軸部）となる軸筒１０、インク吸蔵体２０、中継多孔体３０、ペン先４０、キャップ体６０を備えている。
【００１１】
軸筒１０は、例えば、熱可塑性樹脂、熱硬化性樹脂、ガラス等で形成されるものであり、筆記具用インクを含浸したインク吸蔵体２０を収容する有底筒状の後軸１１と、ペン先４０を固着する先軸１５とを有している。
後軸１１は、例えば、ＰＰ等からなる合成樹脂を使用して長い有底楕円筒形（楕円軸）に成形され、筆記具本体として機能する。この後軸１１は、後端側内部にインク吸蔵体２０の後端部を保持する保持片からなる保持部材１２が設けられており、後軸全体及び後述する先軸は不透明又は透明（及び半透明）に成形されるが、外観上や実用上の観点からいずれを採用しても良い。また、後軸１１の開口部１３に先軸１５が嵌合等により固着される構造となっている。
【００１２】
先軸１５は、後方側に後軸１１の開口部１３に嵌合する環状の嵌合部１６と、前方側に肩部１７、ペン先４０の本体部４２を固着する筒状の嵌入部１８とを有すると共に、上記嵌合部１６内にはインク吸蔵体２０の前端部を保持する保持片からなる保持部材１９が設けられている。この構造の先軸１５は、例えば、ＰＰ等からなる合成樹脂などで成形されるものである。
【００１３】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸筒１０の本体部１１内に収容されている。
また、用いるインク組成は特に限定されず、アンダーラインペン等ではインクに蛍光色素、例えば、ベーシックバイオレット１１、ベーシックイエロー４０などを含有させることできる。
【００１４】
中継多孔体３０は、インク吸蔵体２０のインクを後述するペン先４０の保持体５５に設けたインク誘導部５０に供給する中継芯となるものであり、インク吸蔵体２０の前方側に嵌入する構造となる。この中継多孔体３０は、インク吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものであり、インク吸蔵体２０に含浸されたインクを中継多孔体３０を介して保持体５５のインク誘導部５０へ供給できるものであれば、特にその形状、構造等は限定されるものでない。この中継芯の断面形状としては、例えば、円形、楕円形、正方形、長方形、台形、平行四辺形、ひし形、カマボコ形、半月形の形状が挙げられ、本実施形態では、断面形状が円形状となっている。
【００１５】
ペン先４０は、図２〜図４に示すように、筆記部（ペン芯）となる多孔体４５を備えると共に、該多孔体４５を保持し、筆記部にインクを供給するためのインク誘導部５０を有する保持体５５とを備え、該保持体５５には後方側に中継多孔体３０を保持する筒状部４１を有する本体部４２が連設されている。この本体部４２の外周面にはフランジ部４３が設けられ、筒状部４１の入り口には中継多孔体３０を嵌入保持する嵌入保持部４１ａが設けられている。
また、ペン先４０の本体部４２の外周面上には、先軸１５の嵌入部１８に設けた嵌合部１８ａに嵌合するための嵌合突部４２ａが設けられている。
【００１６】
筆記部（ペン芯）となる多孔体４５は、保持体５５の先端部に固着されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結した焼結芯（ポーラス体）などからなるものである。
【００１７】
この筆記部となる多孔体４５の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状の焼結芯から構成されている。チゼル形状とは、先端がペン軸の中心線に対して傾斜面を形成しており、傾斜面が平坦である形状である。
また、筆記部となる多孔体４５は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体４５の形状、傾き等は、筆記等の使い勝手に合わせて適宜設定される。また、筆記部となる多孔体４５は、描線幅が太いものであり、好ましくは、描線幅２ｍｍ以上、更に好ましくは、描線幅３ｍｍ以上の描線幅となる筆記部である。
【００１８】
この本体部４２を含む保持体５５は、視認性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。
この可視光線透過率が５０％未満の材料を使用した場合は、筆記方向に書いてある文字を有効に視認できないことがあり、好ましくない。更なる良好な視認機能を発揮できるようにするために、５０％以上透過する材料が好ましく、この可視光線透過率が８０％以上であれば、更に良好に視認できるものとなる。なお、可視光線透過率は、多光源測色計を用いて反射率を測定することで求めることができる。
【００１９】
この保持体５５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
【００２０】
上記保持体５５内部には、図３及び図４に示すように、筆記部にインクを供給するためのインク誘導部５０を少なくとも１つ有するものであり、本実施形態では、視認部の面積比率を最大限に発揮せしめる点、筆記部となる多孔体４５に効率的にインクを供給する点から、長手方向の中央にインク誘導部５０が貫通する形で１本設けられている。なお、このインク誘導部５０の形状、大きさ、本数等は、筆記具本体に含まれるインク吸蔵体２０に含浸されたインクが上記中継多孔体３０、インク誘導部５０等を介して筆記部となる多孔体４５へ毛管作用により効率よくインク供給できる構造等となるものであれば、その形状、構造、大きさ、本数などは適宜選択することができる。
【００２１】
インク誘導部５０の後部端面より後方となり、筒状部４１の前方側には、中継芯となる中継多孔体３０の前側の端面が当接可能な環状の段部４８が形成されると共に、該段部４８と中継多孔体３０との間に隙間部４９が形成されている。この隙間部４９は、中継多孔体３０の端面が段部４８に当接しない距離となるものであり、好ましくは、長手方向の隙間の長さは、０＜隙間の長さ≦２ｍｍの範囲とすることが望ましく、本実施形態では１ｍｍの隙間部から構成されている。この隙間部４９には、更に、段部４８とインク誘導部５０との間に中継多孔体３０の径よりも小さく、インク誘導部５０の径よりも大きい開口型の凸部４９ａが形成されている。
この構造のペン先４０では、インク吸蔵体２０からのインクを中継多孔体３０、隙間部４９、凸部４９ａ、インク誘導部５０、筆記部となる多孔体（ペン芯）４５へと毛管力作用により連続的に供給できる構造となっており、適切なインク流量を確保して筆記時の掠れを防止し、筆記流量の安定とインク吸蔵体のインクを十分に使い切ることができる構造となっている。
また、ペン先４０の本体部４２の外周面上には、先軸１５の嵌入部１８に設けた嵌合部１８ａに嵌合するための嵌合突部４２ａが設けられている。なお、本体部４２の底面は、平坦状となる面削ぎ部４４となっている。
【００２２】
更に、上記保持体５５の上部側の両側面に、ペン芯となる多孔体４５を保持するリブ体５６、５６が設けられると共に、該リブ体５６、５６間には多孔体４５の底面と当接する当接面部５７となっている。この当接面部５７の中央部にはインク誘導部５０の出口５０ａが配設されている。
この保持体５５の当接面部５７は、ペン芯となる多孔体４５の底面部との接着面となるものであり、該当接面部５７には、突起部５８が形成されている。
【００２３】
この突起部５８の形状、当接面部５７への配置場所、その数などは、ペン芯４５と保持体５５との接着面の密着性を更に向上せしめるものとなるものであれば、特に限定されないが、好ましくは、突起部５８の断面形状は、図５（ａ）〜（ｇ）に示すように、台形状、三角形形状、四角形形状、半円形状、尖状、六角形状、五角形状となるものが挙げられる。また、その配置場所は、突起部を当接面部５７にランダムに形成したり、インク誘導部出口５０ａに同心円状に形成したり、リブ体５６、５６間を繋ぐように形成することが挙げられる。特に好ましくは、インク誘導部出口５０ａに同心円状に形成することが望ましい。
また、上記図５（ａ）〜（ｇ）に示す形状等の突起部５８の高さ（ｈ）は、好ましくは、０．０５〜０．２５ｍｍが望ましい。この突起部５８の高さが、低過ぎたり、高過ぎると、保持体５５とペン芯４５との十分な密着性を得ることができない点等を勘案すれば、上記０．０５〜０．２５ｍｍの高さとすることが好適である。
【００２４】
本実施形態では、突起部５８は、保持体５５の当接面部５７のインク誘導部出口５０ａに同心円状に一つ形成されている。この同心円状の突起部５８は、インク誘導部出５０ａから離隔幅は、ペン芯となる多孔体４５の形状、大きさなどにより、変動するものであるが、突起部５８の幅は、好ましくは、０．０５〜０．５ｍｍが望ましく、インク誘導部出５０ａからの離隔幅は、好ましくは、０．１〜０．５ｍｍが望ましい。本実施形態では、突起部５８のインク誘導部出５０ａから離隔幅は、０．３ｍｍ、突起部５８の幅は、０．１ｍｍ、高さは０．１
ｍｍとなっている。
【００２５】
本実施形態の筆記具において、保持体５５の当接面部５７と密着するペン芯４５の底面は、表面粗さＲａが低い、いわゆる平滑であることが望ましい。
また、上記リブ体５６、５６の一方の端面にペン芯４５の前端面が当接して停止せしめるストッパー部５９が設けられており、他方の端面はペン芯４５を挿入する入り口となっている。
【００２６】
キャップ体６０は、図１に示すように、先軸１５に嵌合等により着脱自在に取り付けられるものであり、ペン芯４５を保護する内キャップ部６１と、筒状型の外キャップ部６２とから構成され、外キャップ部６２の該表面部にデザイン性を向上させた凹面部６３が形成された構造となっている。また、外キャップ部６２の前方側となる開口面は筆記具を、机等の平坦面に倒立できる構造となるように広い開口面となっている。
【００２７】
このように構成される本実施形態の筆記具Ａでは、従来における課題を解決して、本発明の効果を発揮できるものとなる。すなわち、従来において、ペン芯として焼結芯等からなる多孔体を用いた場合には、焼結芯の接着面の平滑状態が悪いものがあり、量産等の際に、保持体との密着性（シール性）が低下して、その接着面の隙間からインク誘導管に空気が入り込み、インクが十分に供給されず筆記カスレが発生することがあったが、本実施形態の筆記具Ａでは、保持体５５とペン芯となる多孔体４５との接着面において、保持体５５に突起部５８を形成することにより、ペン芯と保持体との接着面の密着性が更に向上して、該接着面からのインク誘導管５０への空気の入り込みを防止でき、インク吸蔵体２０からのインクがペン芯４５に効率よく十分に供給されて、筆記カスレ、インク切れもない筆記具が得られるものとなる。
【００２８】
また、本実施形態では、ペン先４０は、上述の如く、筆記部となるペン芯４５と、該ペン芯４５を保持し、筆記部にインクを供給するためのインク誘導部５０を少なくとも１つ有する保持体５５を備えたものであり、インク吸蔵体２０に含まれるインクを、保持体５５に設けたインク誘導部５０に供給するための中継多孔体３０を有すると共に、上記保持体５５が、視認性を有する材料で構成されているので、当該保持体５５においてインキ誘導部５０以外の全面（全体）が、筆記方向を視認できる視認部となるものであり、視認部の面積比率を、先軸１５先端部より突出したペン先の４０％以上とすることができ、好ましくは、ペン先の保持体５５側面の視認部も、４０％以上とし、更に、インク誘導部５０を保持体５５の長手方向中央部に形成し、インク誘導部５０の幅方向の長さ、直径、断面積等を好適に設定することにより、更に、視認部の面積比率を、５０％以上、最大９０％程度にすることができ、従来よりも筆記方向に書いてある文字を確実に読むことができる十分な視認性が付与することができると共に、終筆まで使用可能な筆記具が提供されるものとなる。特に、インク誘導部５０を保持体５５の長手方向中央部に形成することにより、筆記部となる多孔体４５に、偏りなく効率的にインクを供給できるので、更に、終筆まで使用可能な筆記具が提供されるものとなる。
また、インク誘導部５０を保持体５５の長手方向中央部に形成することにより、筆記方向を定め易く、非常に筆記しやすい形状となるものである。更に、保持体５５の上部にリブ体５６、５６を設けることにより、定規で筆記した際に、定規を汚さずに真直ぐな線などを引くこともできる。
更にまた、インク誘導部５０には、直接液体が供給される機構とすることにより、インクを効率的にペン芯となる多孔体４５に供給することができるものとなる。
【００２９】
次に、図８〜図１３は、本発明の筆記具の他例（第２実施形態〜第４実施形態）を示すものであり、上記図１〜図７の第１実施形態と比較して、保持体５５の当接面部５７に形成した同心円状の突起部５８の数を変更した点以外は、筆記具本体（軸部）となる軸筒１０、インク吸蔵体２０、中継多孔体３０、突起部５８の数などを除くペン先４０、キャップ体６０など形状、構造等は、上記実施形態（図１〜図７）と同様であるので、同一の図示符号を示して、その説明を省略する（第３実施形態以降も同様）。
【００３０】
図８及び図９の第２実施形態となる筆記具は、上記第１実施形態の同心円状の突起部をインク誘導部出口５０ａの略中央部とその周囲の計２カ所に形成した形態である。具体的には、第１実施形態と同位置に突起部５８を形成すると共に、その周囲に突起部５８ａ，５８ａを形成した形態である。この実施形態における突起部５８の周囲に形成した突起部５８ａの突起部５８からの離隔幅は、１．５ｍｍ、突起部５８ａの幅は、０．１ｍｍ、高さは
０．１ｍｍとなっている。
【００３１】
図１０及び図１１の第３実施形態となる筆記具は、同心円状の突起部をインク誘導部出口５０ａの略中央部とその周囲の計３カ所に形成した形態である。具体的には、第２実施形態と同位置に突起部５８、５８ａ、５８ａを形成すると共に、その突起部５８と５８ａの間（等間隔間）に、更に、突起部５８ａと同構造の同心円状の突起部５８ｂ、５８ｂを形成した形態である。
【００３２】
図１１及び図１２の第４実施形態となる筆記具は、上記第３実施形態と同様に、同心円状の突起部をインク誘導部出口５０ａの略中央部とその周囲の計３カ所に形成した形態であって、突起部の高さを高くした形態である。具体的には、第３実施形態と同位置に突起部５８、５８ａ、５８ｂを形成すると共に、その突起部の各高さを０．１ｍｍを０．２ｍｍとしたものである。
この第２実施形態〜第４実施形態の筆記具では、保持体５５とペン芯となる多孔体４５との接着面において、保持体５５に突起部の数を増やしたり、その高さを変更することにより、更に、ペン芯と保持体との接着面の密着性が更に向上して、筆記カスレ、インク切れもない筆記具が得られるものとなる。
【００３３】
本発明は、上記実施形態に限定されるものでなく、本発明の要旨を変更しない範囲で種々の形態に変更することができる。
本発明では、例えば、筆記部へのインク供給機構は特に限定されず、上記実施形態の筆記具Ａにおいて、インク吸蔵体２０からのインクを中継多孔体３０、隙間部４９、凸部４９ａ、保持体５５のインク誘導部５０、ペン芯４５へと毛管力作用により連続的に供給できる構造としたが、隙間部４９、並びに、隙間部４９と凸部４９ａとを設けることなく、それぞれ省略してインクの供給を行ってもよいものである。
また、インク吸蔵体２０からのインクを中継多孔体３０、インク誘導部５０に多孔体から構成されるインク誘導芯を収容し、インク吸蔵体２０からのインクを中継多孔体３０、インク誘導部５０内のインク誘導芯、ペン芯４５へと毛管力作用により連続的に供給できる構造としてもよいものである。
更に、上記実施形態の筆記具Ａでは、筆記具本体の軸筒などを楕円軸に形成したが、円筒形状や三角形状、四角形、四角形以上の多角形状などにしても良いものである。
【実施例】
【００３４】
次に、実施例により、本発明を更に詳述するが、本発明は下記実施例に限定されるものではない。
【００３５】
〔実施例１〕
（筆記具本体、先軸の構成）
筆記具本体、先軸の構成：ＰＰ製
（ペン先の構成）
筆記部ペン芯：ＰＥ製焼結芯、気孔率６０％、上辺長さ５ｍｍ、下辺長さ６ｍｍ、高さ３ｍｍ、前端面の両側を面取り加工
保持体（本体部含む）：アクリル樹脂製、可視光線透過率８５％〔スガ試験機社製、多光源分光測色計（ＭＳＣ−５Ｎ）にて反射率を測定し、可視光線透過率とした。〕
ペン先の視認部面積（面積比率）の算出は、成形品の実寸法を測定することにより行い、面積比率は９０％であった。長さ：１１ｍｍ、厚さ３．２ｍｍ、幅方向長さ６．８ｍｍ
インク誘導部：円筒形状、直径：０．７ｍｍ、長さ７．１ｍｍ、インクが入った状態の可視光線透過率２７％であった。
（ペン先以外の筆記具部材の構成）
中継芯  ：ＰＥＴ繊維束、気孔率６５％、φ３×２４ｍｍ
インク吸蔵体：ＰＥＴ繊維束、気孔率８５％、φ１３×５５ｍｍ
保持体の突起部の大きさ、ペン芯と保持体の接着は下記により行った。
保持体の突起部のインク誘導部出口から離隔幅は、０．３ｍｍ、突起部の幅は、０．１ｍｍ、高さは０．１ｍｍであった。
ペン芯と保持体の接着は、ペン芯を保持体にペン芯を面取り部側から装着した状態で、有機溶剤（酢酸エチル）をしみ込ませ、乾燥させることで接着した。
キャップの大きさ：幅方向長さ１．５ｃｍ、長手方向長さ２．８ｃｍ、肉厚１ｍｍの楕円状の開口面、全長３．２ｃｍ、内キャップ部の大きさ：内径φ８ｍｍの開口面
【００３６】
（インク組成）
インクとして、下記組成の蛍光桃インクを使用した。
色材  ：ＶＣトナー桃（御国色素社製）              ３０質量部
湿潤剤：グリセリン                                ２５質量部
防腐剤：バイオエース（ケイアイ化成社製）        ０．７質量部
イオン交換水                                  ４４．３質量部
【００３７】
このように構成される実施例１の筆記具を用いて、文字の上に筆記したところ、筆記時に視認部を介して向こう側の見え方を目視にて確認したところ、視認性が十分であり、非常に見やすく、筆記方向に書いてある文字を読みながら筆記することができた。また、この筆記具を１０本単位で、インクを使い切るまで筆記しても、ペン芯と保持体との接着面の密着性を十分保持されており、該接着面からのインク誘導管への空気の入り込みはなく、筆記カスレ、インク切れもない筆記具であることが判った。
【産業上の利用可能性】
【００３８】
本発明の筆記具では、アンダーラインペン、ペイントマーカー、油性マーカー、水性マーカーと呼ばれるタイプの筆記具に好適に使用することができる。
【符号の説明】
【００３９】
Ａ  筆記具
１０  筆記具本体
１１  後軸
１５  先軸
２０  インク吸蔵体
３０  中継多孔体
４０  ペン先
４５  筆記部
５０  インク誘導部
５５  保持体
５８  突起部
６０  キャップ体
【図１】
2014079993.tif 000003
【図２】
2014079993.tif 000004
【図３】
2014079993.tif 000005
【図４】
2014079993.tif 000006
【図５】
2014079993.tif 000007
【図６】
2014079993.tif 000008
【図７】
2014079993.tif 000009
【図８】
2014079993.tif 000010
【図９】
2014079993.tif 000011
【図１０】
2014079993.tif 000012
【図１１】
2014079993.tif 000013
【図１２】
2014079993.tif 000014
【図１３】
2014079993.tif 000015